(57)【要約】【課題】液体が封入されたパウチを輸送する際、梱包容器に効率よく高密度で詰め込むために、パウチの一部を折って長方形等の形状で積み重ねて詰め込み、梱包した後、輸送した場合であっても、折れ曲げられた部分に損傷等が発生せず、封入された液体洗剤等の液体が漏れることのないパウチ収容梱包容器、該パウチ収容梱包容器の状態となるように梱包する梱包方法、および、上記パウチ収容梱包容器の輸送方法を提供すること。【解決手段】パウチが、少なくともナイロンフィルム若しくはＰＥＴフィルムからなる外層フィルムと、ＬＬＤＰＥからなる内層フィルムとが溶融ポリエチレンにより接着された押出ラミネートタイプのフィルムで構成され、平面視した形状が長方形又は正方形となるように、一部が折り曲げられた状態で、容器内に積み重ねられ、梱包されていることを特徴とするパウチ収容梱包容器。【選択図】  図６
2017019522.tif 000002
【特許請求の範囲】
【請求項１】
液体が封入された複数のパウチが収容、梱包されたパウチ収容梱包容器であって、
前記パウチの平面視した形状は、長方形又は正方形の少なくとも一辺に三角形が付加された形状であり、
前記パウチを構成するフィルムは、少なくともナイロンフィルム若しくはポリエチレンテレフタレート（ＰＥＴ）フィルムからなる外層フィルムと、直鎖状低密度ポリエチレン（ＬＬＤＰＥ）からなる内層フィルムとが溶融ポリエチレンにより接着された押出ラミネートタイプのフィルムであり、
前記パウチは、平面視した形状が長方形又は正方形となるように、一部が折り曲げられた状態で、容器内に積み重ねられ、梱包されていることを特徴とするパウチ収容梱包容器。
【請求項２】
前記パウチを構成するフィルムの厚さは、２００μｍ以下である請求項１に記載のパウチ収容梱包容器。
【請求項３】
前記パウチは、ピロー包装法を用いて液体が封入され、包装されている請求項１又は２に記載のパウチ収容梱包容器。
【請求項４】
前記パウチの平面視した形状は、平行四辺形である請求項１〜３のいずれかに記載のパウチ収容梱包容器。
【請求項５】
前記パウチに封入された液体は、洗剤である請求項１〜４のいずれかに記載のパウチ収容梱包容器。
【請求項６】
前記洗剤の封入量は、前記パウチの内容積の７０％以下である請求項５に記載のパウチ収容梱包容器。
【請求項７】
液体が封入された複数のパウチを、梱包容器に梱包する梱包方法であって、
前記パウチの平面視した形状は、長方形又は正方形の少なくとも一辺に三角形が付加された形状であり、
前記パウチを構成するフィルムは、少なくともナイロンフィルム若しくはポリエチレンテレフタレート（ＰＥＴ）フィルムからなる外層フィルムと、直鎖状低密度ポリエチレン（ＬＬＤＰＥ）からなる内層フィルムとが溶融ポリエチレンにより接着された押出ラミネートタイプのフィルムであり、
前記パウチは、平面視した形状が長方形又は正方形となるように、一部を折り曲げた状態で、容器内に積み重ね、梱包することを特徴とする梱包方法。
【請求項８】
請求項１〜６のいずれかに記載のパウチ収容梱包容器を、所定の輸送手段を用いて輸送することを特徴とするパウチ収容梱包容器の輸送方法。
【発明の詳細な説明】
【技術分野】
【０００１】
本発明は、パウチ収容梱包容器、梱包方法、及び、パウチ収容梱包容器の輸送方法に関する。
【背景技術】
【０００２】
食器洗い用途などに用いられる液体洗剤は、それぞれ使いやすいような形状の専用容器（以下、詰替え先容器ともいう）に収納されている。専用容器は、構造等がしっかりしているため高価であることから、内容物が無くなった段階で、繰り返し使用することができるように、専用容器に内容物のみを詰替える詰替え用の製品が別途販売されている。
【０００３】
このような内容物のみを詰替える詰替え用の製品として、パウチと呼ばれるプラスチックフィルム製の液体包装容器が用いられる。
上記パウチには、普通、ナイロンフィルムと直鎖状低密度ポリエチレンフィルムとをドライラミネート接着剤により強力に接着したラミネートフィルムが用いられている。
【０００４】
一方、接着剤を用いずに２枚のフィルムをラミネートしてパウチを作製する方法として、特許文献１（特開２００８−２４６９２２号公報）には、ポリエステルやナイロンなどより成る基材フィルムの片面側又は両面側に、基材フィルムとのラミネート面が、メタロセン系オレフィン重合触媒を用いて重合した直鎖状低密度ポリエチレンより成るシーラントフィルムを、又はメタロセン系オレフィン重合触媒を用いて重合した直鎖状低密度ポリエチレンを１０ｗｔ％以上配合した、直鎖状低密度ポリエチレンとのブレンド樹脂より成るシーラントフィルムを、それぞれ熱溶融圧着して積層した液体包装袋用のパウチが開示されている。
【０００５】
上記したパウチは、封入する液体の量を増加させるために、平面視平行四辺形のパウチがよく用いられている。このようなパウチを、顧客に届けるために輸送する際には、ダンボール等の梱包容器に詰めて輸送するが、その際、効率よく、高密度で詰め込むために、パウチの一部を折って、平面視長方形等の形状で積み重ねて詰め込み、梱包していた。
【先行技術文献】
【特許文献】
【０００６】
【特許文献１】特開２００８−２４６９２２号公報
【発明の概要】
【発明が解決しようとする課題】
【０００７】
しかしながら、上記したドライラミネート接着剤により強力に接着したラミネートフィルムを用いたパウチや、特許文献１に開示された２層のフィルムを熱溶融圧着によりラミネートしたパウチでは、上記のように梱包した状態のパウチ収容梱包容器を輸送すると、折れ曲げられた状態で荷重のかかった部分が、輸送時の振動等に起因して損傷し、中の液体が漏れてしまうという問題があった。
【０００８】
本発明は、上記した課題に鑑みてなされたものであり、液体が封入されたパウチを輸送する際、梱包容器に効率よく高密度で詰め込むために、パウチの一部を折って長方形等の形状で積み重ねて詰め込み、梱包した後、輸送した場合であっても、折れ曲げられた部分に損傷等が発生せず、封入された液体洗剤等の液体が漏れることのないパウチ収容梱包容器、該パウチ収容梱包容器の状態となるように梱包する梱包方法、および、上記パウチ収容梱包容器の輸送方法を提供することを目的とする。
【課題を解決するための手段】
【０００９】
本発明のパウチ収容梱包容器は、液体が封入された複数のパウチが収容、梱包されたパウチ収容梱包容器であって、上記パウチの平面視した形状は、長方形又は正方形の少なくとも一辺に三角形が付加された形状であり、上記パウチを構成するフィルムは、少なくともナイロンフィルム若しくはポリエチレンテレフタレート（ＰＥＴ）フィルムからなる外層フィルムと、直鎖状低密度ポリエチレン（ＬＬＤＰＥ）からなる内層フィルムとが溶融ポリエチレンにより接着された押出ラミネートタイプのフィルムであり、上記パウチは、平面視した形状が長方形又は正方形となるように、一部が折り曲げられた状態で、容器内に積み重ねられ、梱包されていることを特徴とする。
【００１０】
上記パウチ収容梱包容器では、接着剤として、溶融ポリエチレンを使用しており、外層フィルムと内層フィルムとの間の接着強度が低いため、折り曲げられた部分では、外層と内層のフィルム間にズレや剥離が発生し、折り曲げた部分にかかる応力を軽減することができ、折り曲げられた部分に損傷が発生するのを防止することができる。その結果、パウチ収容梱包容器内で、パウチ内部の液体が漏れるのを防止することができる。なお、上記したズレや剥離は、外層と内層のフィルム間に発生し、液をシールするための２層のフィルム同士が接着されている部分に、剥離等が発生することはないので、液漏れは、発生しない。
【００１１】
本発明のパウチ収容梱包容器では、上記パウチを構成するフィルムの厚さは、２００μｍ以下であることが望ましい。
上記パウチ収容梱包容器において、パウチを構成するフィルムの厚さが２００μｍ以下であると、フィルムが余り厚くないので、柔らかく曲げ易く、折り曲げられた部分に、より損傷が発生しにくい。
上記フィルムの厚さが２００μｍを超えると、折り曲げにくくなり、折り曲げた部分に大きな応力が発生し易いので、上記した方法で梱包しても損傷が発生し易くなる。
【００１２】
本発明のパウチ収容梱包容器では、上記パウチは、ピロー包装法を用いて液体が封入され、包装されていることが望ましい。
上記ピロー包装法は、センターシールを行って筒状とし、上下でシールすることにより液体を封入する方法である。上記パウチが、上記ピロー包装法を用いて包装されていると、包材コスト、液体の充填コストを安価に抑えることができる。
【００１３】
本発明のパウチ収容梱包容器では、上記パウチの平面視した形状は、平行四辺形であることが望ましい。
上記パウチ収容梱包容器において、パウチの平面視した形状が平行四辺形であると、一つのパウチに封入できる液の量を増加させることができるが、平面視した形状が長方形又は正方形となるようにするためには、両方の端部を折り曲げる必要がある。しかし、上記した本発明のパウチ収容梱包容器では、両端部を折り曲げても損傷が発生しにくく、液漏れが発生するのを防止することができる。
【００１４】
本発明のパウチ収容梱包容器では、上記パウチに封入された液体は、洗剤であることが望ましい。
上記パウチ収容梱包容器において、液体洗剤が封入されたパウチを、液漏れを発生させることなく、梱包、輸送することができる。
【００１５】
本発明のパウチ収容梱包容器では、上記洗剤の封入量は、上記パウチの内容積の７０％以下であることが望ましい。
本発明のパウチ収容梱包容器で、上記洗剤の封入量が余りにも多すぎると、端部を折り曲げにくく、梱包の際にも、嵩張って効率よく梱包することが難しいが、本発明のパウチ収容梱包容器では、洗剤の封入量は、上記パウチの内容積の７０％以下であるので、折り曲げやすく、効率よく多数のパウチを収容し、梱包することができる。
【００１６】
本発明の梱包方法では、液体が封入された複数のパウチを、梱包容器に梱包する梱包方法であって、上記パウチの平面視した形状は、長方形又は正方形の少なくとも一辺に三角形が付加された形状であり、上記パウチを構成するフィルムは、少なくともナイロンフィルム若しくはポリエチレンテレフタレート（ＰＥＴ）フィルムからなる外層フィルムと、直鎖状低密度ポリエチレン（ＬＬＤＰＥ）からなる内層フィルムとが溶融ポリエチレンにより接着された押出ラミネートタイプのフィルムであり、上記パウチは、平面視した形状が長方形又は正方形となるように、一部を折り曲げた状態で、容器内に積み重ね、梱包することを特徴とする。
【００１７】
本発明の梱包方法では、平面視した形状が長方形又は正方形となるように、一部を折り曲げた状態で、容器内に積み重ね、梱包するが、接着剤として、溶融ポリエチレンを使用しており、外層フィルムと内層フィルムとの間の接着強度が低いため、折り曲げられた部分では、外層と内層のフィルム間にズレや剥離が発生し、折り曲げた部分にかかる応力を軽減することができ、折り曲げられた部分に損傷が発生するのを防止することができる。その結果、梱包容器に収容されたパウチ内部の液体が漏れるのを防止することができる。
【００１８】
本発明のパウチ収容梱包容器の輸送方法は、上記したパウチ収容梱包容器を、所定の輸送手段を用いて輸送することを特徴とする。
本発明のパウチ収容梱包容器の輸送方法によれば、平面視した形状が長方形又は正方形となるように、一部が折り曲げられた状態で、容器内に積み重ねられ、梱包されたパウチ収容梱包容器を所定の輸送手段を用いて輸送する際、振動等が発生しても、折り曲げられた部分に損傷が発生しにくく、パウチ内部の液体に漏れ等を発生させることなく、輸送することができる。
【発明の効果】
【００１９】
本発明のパウチ収容梱包容器は、液体洗剤等の液体が封入されたパウチが折れ曲げられた状態で詰め込まれており、これを輸送する際に振動等が発生しても、折れ曲げられた部分に損傷等が発生しにくく、封入された液体が漏れることを充分に防止することができる。また、本発明の梱包方法によると、本発明のパウチ収容梱包容器の状態となるように梱包することができる。更に、本発明のパウチ収容梱包容器の輸送方法によると、液体洗剤等の液体が封入されたパウチが折れ曲げられた状態で詰め込まれているパウチ収容梱包容器を輸送する際に、振動等が発生しても、折り曲げられた部分に損傷が発生しにくく、封入された液体が漏れることを充分に防止することができる。
【図面の簡単な説明】
【００２０】
【図１】パウチの一例を模式的に示す平面図である。
【図２】パウチの別の一例を模式的に示す平面図である。
【図３】液体洗剤入りパウチの一例を模式的に示す平面図である。
【図４】液体洗剤入りパウチの製造工程の一部を模式的に示す斜視図である。
【図５】ボトム／トップシーラーの断面を模式的に示す断面図である。
【図６】液体が封入されたパウチが折れ曲げられた状態で詰め込まれているパウチ収容梱包容器の一例を示す断面斜視図である。
【図７】図６に示す本発明のパウチ収容梱包箱の平面図である。
【発明を実施するための形態】
【００２１】
以下、本発明のパウチ収容梱包容器に収容されるパウチについて図面を用いて説明する。
図１は、上記パウチの一例を模式的に示す平面図である。
図１に示すパウチ１０を構成するフィルムは、少なくともナイロンフィルム若しくはポリエチレンテレフタレート（ＰＥＴ）フィルムからなる外層フィルムと、直鎖状低密度ポリエチレン（ＬＬＤＰＥ）からなる内層フィルムとが溶融ポリエチレンにより接着された押出ラミネートタイプのフィルムである。
【００２２】
上記フィルムでは、上記溶融ポリエチレンにより、外層フィルムと内層フィルムとが接着されている。該溶融ポリエチレンは、押出機内で溶融して押出され、互いに所定間隔を空けて対向して配置される外層フィルムと内層フィルムとの間に流し込まれてもよく、また、押出機内で溶融してフィルム形状で押出され、一方の面が外層フィルムと、他方の面が内層フィルムと、それぞれ熱溶融圧着等により接着されてもよい。なお、外層フィルムが複数のフィルムの積層体である場合は、該溶融ポリエチレンは、予め積層された外層フィルムと、内層フィルムとを接着すればよいが、外層フィルムの最も内側を構成するフィルム（例えば、ナイロンフィルム）と内層フィルムとを接着し、その後、該外層フィルムの最も内側を構成するフィルムの外側にその他のフィルムを積層して外層フィルムを形成しても構わない。
このようにして外層フィルムと内層フィルムとが積層された積層体を、必要に応じて冷却し、パウチを構成するフィルムを得ることができる。なお、押出機内の温度は、例えば２５０℃以上、３５０℃以下とすることができる。その他、押出機内の圧力、溶融時間等の条件は、適宜設定することができる。
このようにして外層フィルムと内層フィルムとが積層されて得られるフィルムを、本明細書中、押出ラミネートタイプのフィルムとも言う。該フィルムにおいて、外層フィルムと内層フィルムとの間に、溶融ポリエチレン以外の接着剤を用いないことが好ましい。
【００２３】
上記溶融ポリエチレンに使用されるポリエチレンとしては、低密度ポリエチレン（ＬＤＰＥ）、高密度ポリエチレン（ＨＤＰＥ）、直鎖低密度ポリエチレン（ＬＬＤＰＥ）等が挙げられ、中でもＬＬＤＰＥが好ましい。
【００２４】
上記溶融ポリエチレンを用いて構成される接着層の厚さは、３μｍ以上であることが好ましく、５μｍ以上であることがより好ましく、１０μｍ以上であることが更に好ましい。該接着層の厚さは、４０μｍ以下であることが好ましく、３０μｍ以下であることがより好ましく、２０μｍ以下であることが更に好ましい。
【００２５】
上記外層フィルムは、少なくともナイロンフィルム若しくはポリエチレンテレフタレート（ＰＥＴ）フィルムからなる。
上記外層フィルムは、その内側（内層フィルム側）がナイロンフィルムであることが好ましい。ナイロンフィルムとしては、例えば、二軸延伸ナイロンが挙げられる。また、外層フィルムの内側にＫコート等のバリア層を設けないことが好ましい。Ｋコートとは、ＰＶＤＣ（ポリ塩化ビニリデン）を基材フィルムにコートしたものである。
外層ナイロンフィルム内側にバリア層を設けないことにより、パウチ内に封入された液体中の水分がナイロンフィルムまで浸透しやすくなり、ナイロンフィルムの水分率を上げ、柔軟性を高めることができ、折り曲げても割れ等の損傷が発生しにくくなる。
【００２６】
また上記外層フィルムは、その外側がポリエチレンテレフタレートフィルムであることが好ましく、金属やシリカが蒸着されたポリエチレンテレフタレートフィルムであることがより好ましく、シリカが蒸着されたポリエチレンテレフタレートフィルムであることが更に好ましい。蒸着は、真空蒸着法、スパッタリング法、プラズマ気相成長法等によりおこなうことができる。これにより、パウチ内に封入された液体の品質を保持するガスバリア性を高めることができる。
上記外層フィルムは、その外側に更にその他の材質のフィルムが積層されていても良い。
なお、上記外層フィルムが複数のフィルムが積層されて構成される場合、該複数のフィルム間の接着には、ドライラミネート接着剤等の公知の接着剤や溶融ポリエチレン等を用いることができる。
【００２７】
例えば、上記外層フィルムは、ナイロンフィルムからなることが好ましい。
これにより、簡易な構成で本発明の効果を発揮することができる。
また例えば、上記外層フィルムは、ナイロンフィルム及びポリエチレンテレフタレート（ＰＥＴ）フィルムからなり、その内側（内層フィルム側）がナイロンフィルムであることが好ましい。
耐ピンホール性に優れ、水分増加により柔軟性を増すナイロンフィルムにすることで、パウチフィルムの損傷を発生しにくくすることができる。
【００２８】
上記外層フィルムの厚さは、３μｍ以上であることが好ましく、１０μｍ以上であることがより好ましく、１５μｍ以上であることが更に好ましい。また、該厚さは、６０μｍ以下であることが好ましく、５０μｍ以下であることがより好ましく、３０μｍ以下であることが更に好ましい。
【００２９】
上記内層フィルムは、直鎖状低密度ポリエチレン（ＬＬＤＰＥ）からなる。
上記直鎖状低密度ポリエチレン（ＬＬＤＰＥ）とは、密度が０．９１０〜０．９２５ｇ／ｃｍ３であり、エチレンモノマー１０００個に対し分岐数が３０個以下であるポリエチレンを言う。
【００３０】
上記直鎖状低密度ポリエチレン（ＬＬＤＰＥ）は、エチレンモノマーを含む単量体成分を重合して得られるものであればよく、例えば、プロペン、１−ブテン、１−ヘキセン、４−メチルペンテン、１−オクテン等のモノマーとの共重合体であってもよい。
上記直鎖状低密度ポリエチレン（ＬＬＤＰＥ）は、メタロセン系触媒を用いて重合して得られたものであることが好ましい。
【００３１】
上記内層フィルムの厚さは、１０μｍ以上であることが好ましく、２０μｍ以上であることがより好ましく、３０μｍ以上であることが更に好ましい。また、該厚さは、１００μｍ以下であることが好ましく、９０μｍ以下であることがより好ましく、６０μｍ以下であることが更に好ましい。
【００３２】
また、パウチを構成するフィルムの厚さ（外層フィルム、内層フィルム、及び、上記溶融ポリエチレンを用いて構成される接着層の合計厚さ）は特に限定されるものではないが、２００μｍ以下であることが好ましく、１７０μｍ以下であることがより好ましく、１４０μｍ以下であることが更に好ましく、１００μｍ以下であることが特に好ましい。また、該厚さは、５０μｍ以上であることが好ましい。
上記外層フィルム、上記内層フィルム、上記溶融ポリエチレンは、必要に応じて酸化防止剤、滑剤等の添加剤が添加されたものであってもよい。
【００３３】
図１に示すパウチ１０は、折り曲げずに広げた状態で平面視した形状が平行四辺形状であり、辺２２、辺２３、辺３１及び辺３２からなる長方形の辺３１に、該長方形の辺３１、辺２１及び辺２４からなる三角形が付加され、該長方形の辺３２に、該長方形の辺３２、辺２５及び辺２６からなる三角形が付加された形状である。
パウチ１０の大きさは、平面視長方形の形状となるように長方形の辺３１及び長方形の辺３２に沿って折り曲げられた状態でパウチ収容梱包容器に収容可能である限り特に限定されないが、底辺の長さＬは、５〜５０ｃｍであることが望ましく、平面視長方形の形状となるように折り曲げられた状態での長方形の横の長さＬ１は３〜３０ｃｍであることが望ましく、縦の長さＨは、３〜３０ｃｍであることが望ましい。また、折り曲げられた状態でのパウチ１０の厚みは、パウチ収容梱包容器に複数積み重ねられて収容可能である限り特に限定されないが、１〜１０ｃｍであることが望ましい。
辺２１及び辺２４から構成される角は鋭角であり、この部位を鋭角部２０とする。鋭角部２０の好ましい角度は４５°〜７５°である。辺２５及び辺２６から構成される角の好ましい角度も同様である。
【００３４】
図１において左側に位置する辺には、ヒートシール加工されたシール部１１が設けられており、該シール部１１と対向する反対側の辺にもヒートシール加工されたシール部１２が設けられている。
パウチ１０の裏側、中央の横方向にはヒートシール加工されたセンターシール部１３が設けられている。
また、シール部１１に、プラスチックフィルムを引き裂く際の始点となる切り込みであるノッチ１６が設けられていてもよい。
【００３５】
パウチ１０の表面には印刷処理が施されていてもよい。図１には、印刷処理が施された部位を印刷部１４としてハッチングにより示している。印刷処理は、プラスチックフィルムに通常行われる任意の方法、例えば、グラビア印刷等の方法によってなされている。
【００３６】
図２は、パウチの別の一例を模式的に示す平面図である。
図２に示すパウチ１１０は、折り曲げずに広げた状態で平面視した形状が台形状であり、辺１２２、辺１２３、辺１２６及び辺１３１からなる長方形の辺１３１に、該長方形の辺１３１、辺１２１及び辺１２４からなる三角形が付加された形状である。
図２に示すパウチ１１０において左側に位置する辺１２１には、ヒートシール加工されたシール部１１１が設けられており、シール部１１１と対向する反対側の辺にもヒートシール加工されたシール部１１２が設けられている。
パウチ１１０の裏側、中央の横方向にはヒートシール加工されたセンターシール部１１３が設けられている。
また、シール部１１１に、プラスチックフィルムを引き裂く際の始点となる切り込みであるノッチ１１６が設けられていてもよい。
【００３７】
図２の左上には、辺１２１及び辺１２４からなる鋭角部１２０が位置している。パウチ１１０の表面は印刷処理が施された印刷部１１４である。
【００３８】
図２に示すパウチ１１０と図１に示すパウチ１０とは、その平面視した形状が異なる他は同様の構成を有している。
なお、本発明に係るパウチは、その平面視した形状が長方形又は正方形の少なくとも一辺に三角形が付加された形状であるが、本発明において「長方形」、「正方形」、「三角形」等は数学的に厳密な意味で「長方形」、「正方形」、「三角形」という意味ではなく、その頂点部分が丸くなっていたり、辺の一部が曲線となっていたりする場合も含む概念である。「平行四辺形」、「台形」についても同様である。
【００３９】
上記パウチに封入する液体は特に限定されず、例えば水石鹸、ハンドソープ、浴室洗浄剤、食器洗浄剤等の液体洗剤；シャンプー、コンディショナー、整髪料等の液体化粧品；飲料水、ジュース、ゼリー飲料、ワイン、ビール、清酒等の飲料；ウスターソース、ホワイトソース、だし調味液等の液体調味料；液状医薬品等が挙げられるが、中でも液体洗剤が好ましい。
続いて、本発明のパウチ収容梱包容器に収容される液体洗剤入りパウチの実施形態について説明する。
本発明に係る液体洗剤入りパウチは、本発明に係るパウチに液体洗剤が封入されたものである。
図３は、液体洗剤入りパウチの一例を模式的に示す平面図である。
図３に示す液体洗剤入りパウチ１では、図１に示す平面視平行四辺形状のパウチ１０に液体洗剤２が封入されている。
液体洗剤入りパウチ１の辺３１、３２を折り曲げて長方形等の形状とし、これを積み重ねることにより、後述するように、複数の液体洗剤入りパウチ１を梱包容器に効率よく高密度で詰め込むことができる。なお、図２に示したパウチ１１０を用いた場合も同様であり、辺１３１を折り曲げて長方形等の形状とし、これを積み重ねることにより、複数の液体洗剤入りパウチを梱包容器に効率よく高密度で詰め込むことができる。
【００４０】
液体洗剤入りパウチに封入される液体洗剤としては、その２０℃における粘度が３０〜７００ｍＰａ・ｓであるものが挙げられる。
液体洗剤の粘度が３０ｍＰａ・ｓ以上であると、細かい泡が発生しにくく、また、引き裂きを行う前に鋭角部を上に向けた際に、液体洗剤の泡が鋭角部近傍に残留しにくい。そのため、フィルムを引き裂く際に液体洗剤が飛び散ることが防止される。また、切り取った隅角部（鋭角部）に液体洗剤が残留しにくいため、フィルムを引き裂く際に液体洗剤が作業者の手等に付着することが防止される。また、液体洗剤の粘度が７００ｍＰａ・ｓ以下であると液体洗剤の流動性が良く、スムーズに液体洗剤を注ぐことができる。また、液体洗剤がフィルムの内面に付着してパウチ内に残留することも防止される。
液体洗剤の粘度の測定は、ＪＩＳ  Ｋ  ７１１７−２に準拠し、回転粘度計を用いて行うことができる。
【００４１】
パウチに封入する液体洗剤の種類は特に限定されるものではなく、例えば、酸性洗剤、中性洗剤、アルカリ性洗剤を封入することができる。また、希釈して使用することを目的とした高濃度洗剤を封入することが望ましい。
【００４２】
パウチに封入する液体洗剤の組成は特に限定されるものではないが、例えば、キッチン用中性洗浄剤、衣類用中性洗浄剤、キッチン用アルカリ洗浄剤、風呂用アルカリ洗浄剤等を含む液体洗剤等が挙げられる。
中性洗浄剤としては、界面活性剤と、溶剤とを含む液体洗剤が挙げられる。
アルカリ洗浄剤としては、界面活性剤と、溶剤と、アルカリ成分とを含む液体洗剤が挙げられる。
【００４３】
パウチに封入する液体洗剤の量は、特に限定されるものではないが、パウチの内容積の７０％以下であることが望ましい。
液体洗剤の封入量が、パウチの内容積の７０％以下であると、折り曲げやすく、本発明のパウチ収容梱包容器内に効率よく多数のパウチを収容し、梱包することができる。
また液体洗剤の封入量がパウチの内容積の７０％を超えて多くなっていると、フィルムを引き裂いた際に液体洗剤が飛び散ることがある。
【００４４】
本発明に係る液体洗剤入りパウチの製造方法は、特に限定されないが、例えばピロー包装法を用いて製造することができる。
以下では、本発明に係る液体洗剤入りパウチのピロー包装法を用いた製造方法について説明する。
図４は、液体洗剤入りパウチの製造工程の一部を模式的に示す斜視図である。
図４には、液体洗剤入りパウチの製造装置を示している。液体洗剤入りパウチの製造装置５０は、ローラー５１、液体洗剤投入口５２、ローラー５３、センターシーラー５４、ボトム／トップシーラー５５を備えている。
【００４５】
本発明に係る液体洗剤入りパウチの製造方法では、プラスチックフィルム６０を準備し、液体洗剤入りパウチの製造装置５０のローラー５１で搬送する。
続いて、プラスチックフィルム６０を、円筒状の液体洗剤投入口５２に巻き付けて、ローラー５３で下方向に搬送させながらセンターシーラー５４を用いてヒートシール加工して、両端に開口部を有するプラスチックフィルムの筒状体とする。
【００４６】
続いて、ボトム／トップシーラー５５を用いて、プラスチックフィルムの筒状体の下端に位置する開口部をヒートシール加工することによってボトムシール部を設ける。
図５は、ボトム／トップシーラーの断面を模式的に示す断面図である。
ボトム／トップシーラー５５は、ボトムシーラー５５ａ及びトップシーラー５５ｂがプラスチックフィルム６０を挟んで対向しており、ボトムシーラー５５ａ間、トップシーラー５５ｂ間でプラスチックフィルム６０を挟むことにより同時に２箇所のヒートシール加工を行うことができる。
また、ボトムシーラー５５ａとトップシーラー５５ｂの間にはカッター５５ｃが設けられており、カッター５５ｃを用いてプラスチックフィルムを切断することによって、２箇所のヒートシール加工、及び、前ロットの液体洗剤入りパウチと後ロットのパウチの分離を連続的に行うことができる。
【００４７】
次に、ボトムシール部を設けたプラスチックフィルムの筒状体に、液体洗剤投入口５２から液体洗剤を投入して、プラスチックフィルムの筒状体の中に液体洗剤を充填する。
【００４８】
次に、液体洗剤を充填したプラスチックフィルムをさらに下方に搬送し、ボトム／トップシーラー５５を用いてプラスチックフィルムの筒状体の開口部にトップシール部を形成する。さらに、プラスチックフィルムの筒状体をトップシール部の外側で切断する。
このような工程により、液体洗剤がパウチ内に封入された液体洗剤入りパウチを連続的に製造することができる。
【００４９】
次に、本発明のパウチ収容梱包容器の一例について説明する。
図６は、液体が封入されたパウチが折れ曲げられた状態で詰め込まれているパウチ収容梱包容器の一例を示す断面斜視図である。図７は、図６に示す本発明のパウチ収容梱包箱の平面図である。
【００５０】
図６に示すように、本発明のパウチ収容梱包箱１４０は、液体洗剤入りパウチ１及び外箱１３０からなる。
本発明のパウチ収容梱包容器１４０には、複数の液体洗剤入りパウチ１が、平面視した形状が長方形等となるように、一部が折り曲げられた状態で、外箱１３０内に積み重ねられ、梱包されている。ここで、例えば図６では、液体洗剤入りパウチ１をパウチ収容梱包容器１４０内に４個ずつ積み重ねている。液体洗剤入りパウチを並べる行数・列数、積み重ねる数は特に限定されないが、パウチ収容梱包容器１４０内で同じ個数ずつ積み重ねられていることが好ましい。また、液体洗剤入りパウチ１の表裏を揃えて積み重ねてもよく、表裏を交互に逆にして積み重ねてもよい。
【００５１】
外箱１３０は、直方体形状であることが好ましい。また、外箱１３０は、段ボールからなることが好ましい。
外箱１３０の大きさに関しては、折り曲げられた状態の液体洗剤入りパウチを収容可能である限り特に限定されないが、縦×横が１０ｃｍ×１５ｃｍ〜４０ｃｍ×６０ｃｍであることが好ましい。また、外箱１３０の高さが５〜５０ｃｍであることが好ましい。
【００５２】
図７に示すように、液体洗剤入りパウチ１の平面視形状は、折り曲げられた状態でそれぞれ長方形である。長方形の代わりに正方形であってもよい。これにより、複数の液体洗剤入りパウチ１を、パウチ収容梱包容器１４０に空隙部が少なくなるように詰め込むことができる。このように複数の液体洗剤入りパウチ１をパウチ収容梱包容器１４０内に高い空間占有率で詰め込むことにより、効率的に液体洗剤入りパウチ１を輸送することができる。
【００５３】
このような態様で輸送されると、輸送中には、長時間に渡って揺れや振動が続くため、パウチの折れ曲がった部分には、断続的に応力が作用し、通常のパウチでは、損傷等が発生し易い。
しかしながら、上記パウチ収容梱包容器１４０では、パウチを構成するフィルムにおいて、外層フィルムと内層フィルムとを接着する接着剤として溶融ポリエチレンを使用しており、外層フィルムと内層フィルムとの間の接着強度が低いため、折り曲げられた部分では、外層と内層のフィルム間にズレや剥離が発生し、折り曲げた部分にかかる応力を軽減することができ、折り曲げられた部分に損傷が発生するのを防止することができる。したがって、本発明のパウチ収容梱包容器１４０を輸送した場合であっても、液体洗剤入りパウチ１の折れ曲げられた部分に損傷等が発生せず、封入された液体洗剤等の液体が漏れるのを防止することができる。
なお、輸送方法は、特に限定されるものではなく、トラック等の自動車による輸送であってもよく、貨車等の鉄道による輸送であってもよく、船や飛行機等による輸送であってもよい。
【実施例】
【００５４】
以下に本発明をより具体的に説明する実施例を示すが、本発明はこれらの実施例に限定されるものではない。
【００５５】
（実施例１）
プラスチックフィルムとして、厚さ２５μｍのナイロンフィルムからなる外層フィルムと厚さ５０μｍの直鎖状低密度ポリエチレンフィルムからなる内層フィルムとが厚さ１５μｍの溶融ポリエチレンにより接着された厚さ９０μｍの多層フィルムを用い、図４に示した液体洗剤入りパウチの製造装置を使用して、図１に記載した形状を有するパウチに液体洗剤が封入された液体洗剤入りパウチを製造した。
液体洗剤入りパウチ内に封入する液体洗剤としては、２０℃における粘度が３５０ｍＰａ・ｓの中性洗剤を用いた。
【００５６】
（実施例２）
厚さ１２μｍのシリカ蒸着ポリエチレンテレフタレートフィルム及び厚さ１５μｍのナイロンフィルムをドライラミネート接着剤により接着して積層し、外層フィルムを得た。プラスチックフィルムとして、この外層フィルムのナイロンフィルム側と、厚さ５０μｍの直鎖状低密度ポリエチレンフィルムからなる内層フィルムとが厚さ１５μｍの溶融ポリエチレンにより接着された厚さ９２μｍの多層フィルムを用いた他は実施例１と同様にして液体洗剤入りパウチを製造した。
【００５７】
（実施例３）
厚さ１２μｍのポリエチレンテレフタレートフィルムとポリエチレンテレフタレートフィルム側をＫコートした厚さ１５μｍのナイロンフィルムとを積層して外層フィルムを得た。プラスチックフィルムとして、この外層フィルムのナイロンフィルム側と、厚さ５０μｍの直鎖状低密度ポリエチレンフィルムからなる内層フィルムとが厚さ１５μｍの溶融ポリエチレンにより接着された厚さ９２μｍの多層フィルムを用いた他は実施例１と同様にして液体洗剤入りパウチを製造した。
【００５８】
（比較例１）
プラスチックフィルムとして、厚さ２５μｍのナイロンフィルムからなる外層フィルムと、厚さ５０μｍの直鎖状低密度ポリエチレンフィルムからなる内層フィルムとがドライラミネート接着剤により接着された厚さ７８μｍの多層フィルムを用いた他は実施例１と同様にして液体洗剤入りパウチを製造した。
【００５９】
（比較例２）
プラスチックフィルムとして、厚さ２５μｍのナイロンフィルムの片面をＫコートしてなる外層フィルムのＫコートした側と、厚さ５０μｍの直鎖状低密度ポリエチレンフィルムからなる内層フィルムとがドライラミネート接着剤により接着して積層した厚さ７８μｍの多層フィルムを用いた他は実施例１と同様にして液体洗剤入りパウチを製造した。
【００６０】
各実施例等で製造した液体洗剤入りパウチは、折り曲げずに広げた状態で平面視した形状が平行四辺形状であり、底辺の長さは、２８ｃｍであり、平面視長方形の形状となるように折り曲げられた状態での長方形の横の長さは２０ｃｍであり、縦の長さは、１６ｃｍであった。
各実施例等で製造した液体洗剤入りパウチは、平面視した形状が長方形となるように一部が折り曲げられた状態で、縦×横×高さが１７ｃｍ×２１ｃｍ×１５ｃｍである直方体形状の段ボール容器内に、４個積み重ね、梱包してパウチ収容梱包容器とした。各パウチ収容梱包容器につき、以下の評価を行った。
【００６１】
（振動試験による評価）
ＪＩＳ  Ｚ  ０２３２の方法Ｂに準じて該方法Ｂよりも過酷な条件で振動試験をおこなった。振動方向は３軸方向であり、振動数は７０Ｈｚとし、ピーク加速度差は１０Ｇとした。試験は４時間おこない、１時間ごとに液体洗剤入りパウチの状態を目視で観測した。
実施例１〜３では、４時間以内で液体洗剤入りパウチの折れ曲げられた部分に損傷（穴）は発生せず、良好と評価できるものであった。一方、比較例１、２では、２時間で液体洗剤入りパウチの折れ曲げられた部分に損傷（穴）が発生した。
【００６２】
（振とう試験による評価）
振とう速度１７０ｒｐｍ、振幅３５ｍｍの条件で振とう試験をおこなった。試験は３時間おこない、３０分ごとに液体洗剤入りパウチの状態を目視で観測した。
実施例１〜３では、３時間で液体洗剤入りパウチの折れ曲げられた部分に損傷（穴）が発生したが、比較例１では、２時間で液体洗剤入りパウチの折れ曲げられた部分に損傷（穴）は発生した。また、比較例２では、３０分で液体洗剤入りパウチの折れ曲げられた部分に損傷（穴）が発生した。
上記振動試験及び振とう試験は、かなり厳しい条件で試験を行っており、実施例１〜３の結果は、通常の輸送条件では、破損等の確率は極めて低いと判断できる良好なものであった。
【００６３】
すなわち、本発明に係るパウチに液体洗剤が封入された液体洗剤入りパウチでは、少なくともナイロンフィルム若しくはＰＥＴフィルムからなる外層フィルムと、ＬＬＤＰＥからなる内層フィルムとが溶融ポリエチレンにより接着された押出ラミネートタイプのフィルムで構成されているため、平面視した形状が長方形、一部が折り曲げられた状態で、損傷が生じにくいものであった。したがって、液体が封入された複数のパウチが収容、梱包されたパウチ収容梱包容器において、梱包容器に効率よく高密度で詰め込むために、本発明に係るパウチの一部を折って長方形又は正方形となるように積み重ねて詰め込み、梱包した後、輸送した場合であっても、折れ曲げられた部分に損傷等が発生せず、封入された液体洗剤等の液体が漏れる可能性の極めて少ないものであった。
【符号の説明】
【００６４】
１  液体洗剤入りパウチ
２  液体洗剤
１０、１１０  パウチ
１１、１１１  シール部（トップシール部）
１２、１１２  シール部（ボトムシール部）
１４、１１４  印刷部
１６、１１６  ノッチ
２０、１２０  鋭角部
５０  液体洗剤入りパウチの製造装置
５１、５３  ローラー
５２  液体洗剤投入口
５４  センターシーラー
５５  ボトム／トップシーラー
５５ａ  ボトムシーラー
５５ｂ  トップシーラー
５５ｃ  カッター
６０  プラスチックフィルム
７０  液体洗剤容器
７１  液体洗剤投入口
１３０  外箱
１４０  パウチ収容梱包容器
【図１】
2017019522.tif 000003
【図２】
2017019522.tif 000004
【図３】
2017019522.tif 000005
【図４】
2017019522.tif 000006
【図５】
2017019522.tif 000007
【図６】
2017019522.tif 000008
【図７】
2017019522.tif 000009